Podtech/llm-jp-corpus-v4-ja_patent huggingface dataset:
(57)【要約】【課題】 外部機器に接続するケーブルの引き込み方向と同一方向である水平方向の張力が加わった場合においても、追加部品を用いずにケーブル抜けを防止する電子機器の筐体構造を提供する。【解決手段】 ケーブル２１を引き込むケーブル溝１３にケーブル２１を蛇行させるための突起部１２を複数箇所配置し、ケーブル２１を通すことにより、ケーブル２１が突起部１２に接触することでケーブル２１に摩擦力が発生し、ケーブル２１に加わる張力を分散する。【選択図】 図１
0003162626.tif 000002
【実用新案登録請求の範囲】
【請求項１】
外部機器と接続するためのケーブルの一部を引き込んで収納する電子機器の筐体構造であって、
前記電子機器の前記ケーブルとの接続箇所までの前記ケーブルの一部を引き込んで当該電子機器の筐体内に収納するためのケーブル溝の側面または底面に、前記引き込んだケーブルを蛇行させると共に、垂直方向から前記引き込んだケーブルを押し付ける複数の突起形状を設けることを特徴とするケーブル抜け防止筐体構造。
【考案の詳細な説明】
【技術分野】
【０００１】
本考案は、外部機器に接続するケーブル抜けを防止する電子機器の筐体構造に関するものである。
【背景技術】
【０００２】
電子機器間をケーブルで接続する際、電子機器とケーブルはコネクタまたはハンダ付けで接続されるが、電子機器側のケーブルとの接続箇所までのケーブルを引き込む部分の筐体構造によって、追加部品を用いずに、この接続点の保護またはケーブル抜けを防止する技術がある（例えば特許文献１）。
【先行技術文献】
【特許文献】
【０００３】
【特許文献１】特開２００５-０１９９２４号公報
【考案の概要】
【考案が解決しようとする課題】
【０００４】
しかしながら、特許文献１に記載された筐体構造は、電子機器内にケーブルを引き込むケーブル溝に、ケーブルに平行な隆起した突起を設けたものであり、ケーブルの引き込み方向に対して垂直方向の張力に対してはケーブルが抜け難いが、ケーブルの引き込み方向と同一方向である水平方向の張力に対しては効果が殆どない。このため、ケーブルが水平方向に引っ張られた場合に、その張力はケーブル接続部に加わり、ケーブル抜けやハンダ接続部の破損が発生するという恐れがあった。
【０００５】
そこで、本考案の課題は、ケーブルに水平方向に張力が加わった場合においても、張力が直接ケーブル接続部に作用しないケーブル抜け防止筐体構造を提供することにある。
【課題を解決するための手段】
【０００６】
上記の課題を解決するために、本考案は、外部機器と接続するためのケーブルの一部を引き込んで収納する電子機器の筐体構造であって、前記電子機器の前記ケーブルとの接続箇所までの前記ケーブルの一部を引き込んで当該電子機器の筐体内に収納するためのケーブル溝の側面または底面に、前記引き込んだケーブルを蛇行させると共に、垂直方向から前記引き込んだケーブルを押し付ける複数の突起形状を設けることを特徴とする。
【考案の効果】
【０００７】
本考案によれば、ケーブルに水平方向の張力が加わった場合であっても、ケーブル溝内に設けられた、ケーブルを蛇行させて押さえつけるための複数の突起で張力を分散するので、張力が電子機器とケーブル接続部に伝わることを防止できるため、ケーブル抜けやハンダ接続部の破損などによる障害の発生を軽減できる効果がある。
【図面の簡単な説明】
【０００８】
【図１】本考案による一実施例の断面図
【図２】本考案による一実施例の平面図
【図３】従来構造の一実施例の断面図
【図４】従来構造の一実施例の平面図
【考案を実施するための形態】
【０００９】
以下、図面を参照して本考案の実施の形態について詳細を説明する。
図１および図２は本考案による一実施例であって、図１は本考案による一実施例の突起部を含む断面図（後述する図２のＡ−Ａ断面）であって、図２は平面図である。１１は電子機器の筐体である装置ケース（以下ケースと略す）、１２はケース１１に形成された突起部、１３はケーブルを挿入するケーブル溝、２１はケーブル、２２はケーブル２１を接続するコネクタである。ケーブル２１はコネクタ２２に接続され（例えば、ハンダ付け）、ケーブル溝１３へ挿入時にケース１１に形成された突起部１２に押さえつけられながら蛇行し、ケーブル２１を挿入後においてもケーブル２１はケース１１に形成された突起部１２と接触する。この結果、ケーブル２１は突起部１２との間で摩擦力が発生し、ケーブル２１が外力で引っ張られた場合に、その張力がコネクタ２２とケーブル２１の接続部に伝わることを防止できる。
【００１０】
以下、従来の構造と対比して、本考案の作用と効果を説明する。
図３は従来の一実施例の突起部を含む断面図（後述する図４のＢ−Ｂ断面）であって、図４は平面図である。１１１は電子機器の筐体である装置ケース（以下ケースと略す）、１１２はケース１１に形成された突起部、１１３はケーブルを挿入するケーブル溝、１２１はケーブル、１２２はケーブル１２１を接続するコネクタである。ケーブル１２１はコネクタ１２２に接続される（例えば、ハンダ付け）。
ケーブル１２１はケーブル溝１１３に挿入後、ケース１１に形成された突起部１１２に接触していないため、摩擦力によって張力を分散させる要素がなく、ケーブル１２１に水平方向の張力が加わるとケーブル１２１を接続するコネクタ１２２に直接張力が作用するため、ケーブル抜けやハンダ接続部の破損などによる障害の発生を軽減できない。
ケース１１に形成された突起部１２を有する場合、ケーブル２１に水平方向の張力が加わった場合においても、ケーブル２１に接触抵抗が発生し、コネクタ２２に加わる張力が分散される。
【００１１】
以上説明した通り、本考案によれば、水平方向の張力が加わった場合においても、ケーブル接続部に加わる張力が分散され、外部機器に接続するケーブル抜けを防止する電子機器の筐体構造を追加部品を用いずに提供できる。
例えば、電子機器が設置型の緊急通報装置であった場合、この緊急通報装置を卓上から落とした、またはケーブルに何か物を引掛けた場合においても、ケーブル接続部に加わる張力を分散させるため、ケーブル抜けやハンダ接続部の破損を軽減し、動作停止及び誤動作を低減できる効果がある。
【符号の説明】
【００１２】
１１    装置ケース
１２    突起部
１３    ケーブル溝
２１    ケーブル
２２    ケーブルを接続するコネクタ
１１１  装置ケース
１１２  突起部
１１３  ケーブル溝
１２１  ケーブル
１２２  ケーブルを接続するコネクタ
【図１】
0003162626.tif 000003
【図２】
0003162626.tif 000004
【図３】
0003162626.tif 000005
【図４】
0003162626.tif 000006
(57)【要約】      （修正有）【課題】空気注入および排出が自由で、軽量で防寒に優れ、折り畳んで携帯することも可能な空気入り衣服を提供する。【解決手段】気密性の素材からなる表地と裏地を部分的な接着部６において接着して複数に小分割された空気室を形成し、接着部６に空気室間を相互に連通させる空気通り孔８を形成し、空気室に空気を吹き込む空気吹込み口９を設ける。着用時は空気吹込み口９から空気室に空気を吹き込んで膨らませ、不使用時は空気室の空気を空気吹込み口９から抜くことにより、折りたたむことができる。【選択図】図１
0003162628.tif 000002
【実用新案登録請求の範囲】
【請求項１】
気密性の素材からなる表地と裏地を部分的な接着部において接着して複数に小分割された空気室を形成し、前記接着部に前記空気室間を相互に連通させる空気通り孔を形成し、前記空気室に空気を吹き込む空気吹込み口を設けたことを特徴とする空気入り衣服。
【請求項２】
前記複数の空気室が所定数集合して独立した複数の空気室ブロックを形成し、各々の空気室ブロックに前記空気吹込み口を設けたことを特徴とする請求項１記載の空気入り衣服。
【考案の詳細な説明】
【技術分野】
【０００１】
本考案は、防寒性に優れた空気入り衣服に関し、特に、空気を吹き込むことにより全体を空気層とした空気入り衣服に関する。
【背景技術】
【０００２】
従来、防寒衣服として、表地と裏地の間にダウンを注入したダウンジャケットが知られている（例えば特許文献１を参照）。
また、衿部に空気を吹き込んで膨張させた膨張部材を設けた防寒衣服がある（例えば、特許文献２参照）。
【先行技術文献】
【特許文献】
【０００３】
【特許文献１】特開平２００７−２１１３８７号公報
【特許文献２】特開平２００３−２３９１１５号公報
【考案の概要】
【考案が解決しようとする課題】
【０００４】
特許文献１のようなダウンジャケットでは、ダウンにより常時膨らんでかさばる状態であり、不使用時に持ち運びするのに不便であり、かつ、重量も比較的重いという問題があった。また、特許文献２のように、衿部に空気を入れた衣服は、首部の防寒には適しているが、全身の防寒はできないという問題があった。
【０００５】
本考案は、上記課題を解決したもので、空気注入および排出が自由で、軽量で防寒に優れ、折り畳んで携帯することも可能な空気入り衣服を提供することを目的とする。
【課題を解決するための手段】
【０００６】
上記課題を解決するため、請求項１記載の空気入り衣服は、気密性の素材からなる表地と裏地を部分的な接着部において接着して複数に小分割された空気室を形成し、前記接着部に前記空気室間を相互に連通させる空気通り孔を形成し、前記空気室に空気を吹き込む空気吹込み口を設けたことを特徴とするものである。
【０００７】
請求項２記載の空気入り衣服は、請求項１記載の空気入り衣服であって、前記複数の空気室が所定数集合して独立した複数の空気室ブロックを形成し、各々の空気室ブロックに前記空気吹込み口を設けたことを特徴とするものである。
【考案の効果】
【０００８】
本考案によれば、空気注入および排出が自由で、軽量で防寒に優れ、空気を排出すれば折り畳んで携帯することも可能な空気入り衣服が得られる。
【図面の簡単な説明】
【０００９】
【図１】本考案の空気入り衣服の第１実施形態を示す正面図である。
【図２】図１の背面図である。
【図３】図１の側面図である。
【図４】図１の部分拡大図である。
【図５】図４のV−V線断面図である。
【図６】本考案の空気入り衣服の第２実施形態を示す正面図である。
【図７】図６の背面図である。
【考案を実施するための形態】
【００１０】
以下、本考案明の一実施形態を図面に基づいて説明する。
図1は、本考案の空気入り衣服の第１実施形態を示す正面図、図２は、背面図、図３は側面図、図４は、部分拡大図、図５は図４のV−V線断面図である。
【００１１】
各図において、１は、ベスト状の空気入り衣服であって、前部左右には前身ごろ２、上部には首口部３、両側には袖口部４が形成されている。前身ごろ２は、スライドファスナ５によって開閉可能に構成されている。
【００１２】
図５に示すように、この空気入り衣服１は、透明なビニール、ナイロン等の気密性の素材で構成されている表地１aと裏地１ｂとで構成されている。表地１aと裏地ｂは正方形状の接着部６において互いに接着されて、正方形状に小分割された空気室７が全面に渉って形成されている。接着部６には、空気室７を相互に連通させる空気通り孔８が形成されている。衣服１の背面には、空気吹込み口９が設けられ、空気吹込み口９には栓１０が設けられている。
【００１３】
この空気入り衣服１は、使用時は空気吹込み口９から空気を吹き込むことにより、空気通り孔８を介して各空気室７に空気が入って図５のように膨らみ、全体が空気層で覆われた空気入りの衣服１が構成される。空気吹き込みは、通常は人力で行うことができるが、エアポンプなどを利用することも可能である。
【００１４】
このような構成の空気入り衣服１は、上部の首口部３に首部を入れ、両側の袖口部４に腕を通し、前身ごろ２のスライドファスナ５を閉じることにより、ベストとして使用することができる。全体が空気層で覆われているので、保温効果が大きく、かつ軽量であり、防寒衣服として最適である。また、不使用時は全体を押圧して空気吹込み口９より空気を抜くことにより、表地１aと裏地１ｂがくっ付き、薄い形状となるので、コンパクトに折りたたんで持ち運ぶことができる。
【００１５】
図６、図７は、本考案の第２実施形態を示す。第１実施形態では、全空気室７が空気通り孔８により連通し、空気吹込み口９を１箇所にのみ設けている。この構成の場合、１つの空気室７に穴あき、破れ等が生じるとそこから全ての空気室７の空気が洩れてしまい、空気入り衣服の機能を果たさなくなるおそれがある。そこで、第２実施形態では、所定数の空気室をまとめて独立した空気室ブロックとして構成し、各々の空気室ブロックに空気吹込み口を設けた構成としている。図示の例では、鎖線で示す縦方向の接着部１１により、独立した５個の空気室ブロックA、B、C、D、Eとし、各々に空気吹込み口９A、９B、９C、９D、９Eおよび栓１０を設けている。図示の例では、縦方向の空気室ブロックA〜Eとした例であるが、空気室ブロックの個数や分割方法は任意であり、図示のものは単なる例示である。
【００１６】
第２実施形態では、独立した空気室ブロックを構成し、各々に空気吹込み口を設けているので、ある空気室７が破損して空気が洩れても、その空気室７がある空気室ブロック以外には影響を及ぼすことがないので、空気洩れの影響を最小限にとどめることができる。
【符号の説明】
【００１７】
１    空気入り衣服
１a    表地
１ｂ    裏地
６    接着部
７    空気室
８    空気通り孔
９    空気吹込み口
A〜E  空気室ブロック
【図１】
0003162628.tif 000003
【図２】
0003162628.tif 000004
【図３】
0003162628.tif 000005
【図４】
0003162628.tif 000006
【図５】
0003162628.tif 000007
【図６】
0003162628.tif 000008
【図７】
0003162628.tif 000009
(57)【要約】      （修正有）【課題】新規リング状ＬＥＤ照明灯を提供する。【解決手段】ＬＥＤから放出された光を拡散させるリング状拡散カバーと、該拡散カバーと結合してリング状蛍光灯形状のチューブを形成するリング状散熱カバーと、内装されるコンバーターとリング状ＬＥＤ電路板とを具備し、該ＬＥＤ電路板は、リング状銅基板を複数に分割し、それぞれにＬＥＤを半田付けした後、リング状ＬＥＤ電路板としたことを特徴とする。【選択図】図１
0003162973.tif 000002
【実用新案登録請求の範囲】
【請求項１】
ＬＥＤから放出された光を拡散させるリング状拡散カバーと、該拡散カバーと結合してリング状蛍光灯形状のチューブを形成するリング状散熱カバーと、内装されるコンバーターとリング状ＬＥＤ電路板とを具備し、該ＬＥＤ電路板は、リング状銅基板を複数に分割し、それぞれにＬＥＤを半田付けした後、リング状ＬＥＤ電路板としたことを特徴とするリング状LED照明灯。
【請求項２】
前記リング状銅基板は、８分割したものである請求項１記載のリング状LED照明灯。
【請求項３】
前記分割したＬＥＤを半田付けした銅基板は、ワイヤーでリング状に連結する請求項１又は２記載のリング状LED照明灯。
【請求項４】
合成樹脂製、好ましくはポリカーボネート製のリング状拡散カバー上に前記リング状ＬＥＤ電路板を載置し、前記アルミニウム製の多数の開口部を形成した散熱カバーとリング状拡散カバーと結合して、リング状のLED照明灯を形成する請求項１〜３のいずれかに記載のリング状LED照明灯。
【請求項５】
前記リング状拡散カバーは、リングの一部を切断した形状とし、該切断部の内側から接座下蓋を、外側から接座上蓋を、接座下蓋上にコネクタを位置させ、接座下蓋と接座上蓋とを結合させる請求項１〜４のいずれかに記載のリング状LED照明灯。
【考案の詳細な説明】
【技術分野】
【０００１】
本考案は、リング状LED照明灯に係り、詳記すれば、ＬＥＤ電路板を容易に形成することによって、容易に形成したリング状LED照明灯に関する。
【背景技術】
【０００２】
直管蛍光灯型LED照明灯は、蛍光灯の３分の１の消費電力であることと、蛍光灯の５倍以上の長寿命であることから、従来の蛍光灯に変わりつつある。しかしながら、リング状のLED照明灯は未だ市販されていない。これは、リング状の基板にＬＥＤを半田付けするのが手間がかかる作業であることが一因であると思われる。
【考案の開示】
【考案が解決しようとする課題】
【０００３】
この考案は、このような点に着目してなされたものであり、簡単な方法によって、新規リング状LED照明灯を提供することを目的とする。  
【課題を解決するための手段】
【０００４】
上記目的を達成するため、本考案者は鋭意研究の結果、銅基板を複数に分割して、ＬＥＤを半田付けしてＬＥＤ電路板を形成することにより、容易にリング状LED照明灯が形成できることを見出し、本考案に到達した。
【０００５】
即ち本考案は、ＬＥＤから放出された光を拡散させるリング状拡散カバーと、該拡散カバーと結合してリング状蛍光灯形状のチューブを形成するリング状散熱カバーと、内装されるコンバーターとリング状ＬＥＤ電路板とを具備し、該ＬＥＤ電路板は、リング状銅基板を複数に分割し、それぞれにＬＥＤを半田付けした後、リング状ＬＥＤ電路板としたことを特徴とする。リング状銅基板は、好ましくは、８分割とするのが良い（請求項２）。分割したＬＥＤを半田付けした銅基板は、順次連結してワイヤーでリング状に連結するのが好ましい（請求項３）
【０００６】
合成樹脂製、好ましくはポリカーボネート製のリング状拡散カバー上に前記リング状ＬＥＤ電路板を載置し、前記アルミニウム製の多数の開口部を形成した散熱カバーとリング状拡散カバーとを結合して、リング状のLED照明灯を形成するのが好ましい（請求項４）。
【０００７】
前記リング状拡散カバーは、リングの一部を切断した形状とし、該切断部の内側から接座下蓋を、外側から接座上蓋を、接座下蓋上にコネクタを位置させ、接座下蓋と接座上蓋とを結合させるのが好ましい（請求項５）。
【考案の効果】
【０００８】
本考案によれば、銅基板を複数に分割してＬＥＤを半田付けすることによって、リング状LED照明灯を容易に形成できる。
【図面の簡単な説明】
【０００９】
【図１】本考案の一実施例を示す分解斜視図である。
【図２】本考案のリング状LED照明灯の（Ａ）裏面図、（Ｂ）平面図、（Ｃ）側面図、（Ｄ）斜視図である。
【符号の説明】
【００１０】
１・・・・・・リング状拡散カバー
２・・・・・・リング状ＬＥＤ電路板
３・・・・・・コンバーター
４・・・・・・リング状散熱カバー
５・・・・・・切断部
６・・・・・・接座下蓋
７・・・・・・接座上蓋
【考案を実施するための最良の形態】
【００１１】
以下、添付図面に従って、本考案の具体例を更に詳細に説明する。
【００１２】
図１及び図２は、本考案の一実施例を示すものであり、ＬＥＤから放出された光を拡散させるリング状拡散カバー１と、リング状拡散カバー１上のリング状ＬＥＤ電路板２とコンバーターと、該拡散カバー１と結合してリング状LED照明灯を形成するリング状散熱カバー４とを具備した例を示す。
【００１３】
リング状拡散カバー１は、リングの一部を切断した形状とし、該切断部５の内側から接座下蓋６を、外側から接座上蓋７を、接座下蓋６上にコンバーターを位置させ、接座下蓋６と接座上蓋７とを結合させている。
【００１４】
前記ＬＥＤ電路板２は、リング状銅基板を８分割し、ＬＥＤを半田付けした後、ワイヤーでリング状に連結している。
【００１５】
リング状拡散カバー１は、合成樹脂製、好ましくはポリカーボネート製とするのが、壊れた場合に飛散しないので好ましい。拡散カバー１は、アルミニウム製で多数の開口部を形成するのが良い。
【産業上の利用可能性】
【００１６】
リング状LED照明灯は、市販されていないことと、コンバーターを内蔵しているので、従来の灯具に取り付けて使用できるので、広範に普及することが期待される。
【図１】
0003162973.tif 000003
【図２】
0003162973.tif 000004
(57)【要約】      （修正有）【課題】紙と糊を材料とし使用において十分な強度と送風量を持ち、廃棄時に再生紙資源としリサイクル可能な環境配慮型で、うちわに付加価値を付けることのできる紙うちわを提供する。【解決手段】扇面を２枚合わせにし、上側部分と下側部分を糊で貼り合せ、扇面下部貼り合せ部を糊で貼り合せる。貼りあわせた部分の面は糊が乾くことで強度が得られ、扇面中間部は糊付けをしていないので柔らかい部分ができ、扇面に強度としなりに対する腰ができる。【選択図】図１
0003162998.tif 000002
【実用新案登録請求の範囲】
【請求項１】
うちわ扇面を２枚構成にして、扇面上側部分と扇面下側部分を糊で貼り合せ、扇面中間部分は糊が付いていない形状を有した紙うちわ。
【考案の詳細な説明】
【技術分野】
【０００１】
この考案は、紙を素材として製造される紙うちわに関するものである。
【背景技術】
【０００２】
従来のうちわは、竹またはプラスチックからなる骨組の両面に紙を中心とした軽量のシート材を貼付けするものが一般的である。また、骨組および柄を用いない紙うちわや紙うちわの扇面に型押罫線を設けたりする柄を持つ紙うちわも存在する。
【先行技術文献】
【特許文献】
【０００３】
【特許文献１】登録実用新案第3154223号
【考案の概要】
【考案が解決しようとする課題】
【０００４】
紙を素材とし使用において十分な強度と送風量を持ち、廃棄時に再生紙資源としリサイクル可能な環境配慮型で、うちわに付加価値を付けることのできる紙うちわを提供する。
【課題を解決するための手段】
【０００５】
うちわ扇面を２枚構成にして、扇面上側部と下側部を糊で貼り合わせて、うちわ扇面下部貼り合せ部を糊で貼り合わせ、糊が乾いたあとボール紙等で作ってある柄に扇面下部分を挟み込み糊で接着固定する、うちわ扇面下部貼り合せ部からうちわ扇面を２枚構成にした形状を有した紙うちわで上記課題を解決するものである。
【考案の効果】
【０００６】
うちわ扇面上側部と下側部は貼りあわせた部分の面は糊が乾くことで強度が得られます。うちわ扇面下部貼り合せ部はさらに強度が増します。うちわ扇面中間部は糊付けをしていないので柔らかい部分ができます。その結果、うちわ扇面に強度としなりに対する腰ができ比較的薄めの板紙を使用することができる。
【０００７】
うちわを扇いだときにかかる扇面と柄の接続部分の負荷不安が解消され柄の部分を長くすることが可能になり送風力効率を高くすることができる。
【０００８】
紙と糊を材料としているので廃棄時に再生紙資源としリサイクル可能な環境配慮型な紙うちわ。
【０００９】
うちわの骨組が無いので、うちわ扇面に多様なグラフィックデザインの表現や抜き型の型を変えることでうちわの外形のデザイン変更が簡単にでき市販されている光触媒効果活用紙やマイナスイオン自発型用紙等を使用することで付加価値を高めることができる。
【図面の簡単な説明】
【００１０】
【図１】この考案の実施例である紙うちわの正面図 。
【図２】扇面図。
【図３】扇面下部貼り合せ部図
【図４】柄正面図
【図５】柄側面図
【考案を実施するための形態】
【００１１】
うちわ扇面を２枚構成にして、扇面上側部分と扇面下側部分を糊で貼り合せ、扇面中間部分は糊が付いていない形状を有し、これに柄を取り付けて形成した。以上よりなる柄つき紙うちわ。
【実施例】
【００１２】
図２の扇面と図３の扇面下部貼り合せ部を型抜き機で抜いて作成します。
【００１３】
扇面を２枚合わせにし、上側部分と下側部分を糊で貼り合せます。次に、扇面下部貼り合せ部を糊で貼り合せます。本実施例では扇面下部貼り合せ部に使用する枚数は１枚であるが使用する用紙厚さに応じて片面のみ１枚から両面合計４枚程度とする。
【００１４】
貼りあわせた部分の面は糊が乾くことで強度が得られます。糊が乾いたあとボール紙等で作ってある図４柄に扇面下部分を挟み込み糊で接着固定します。
【産業上の利用可能性】
【００１５】
この考案による紙製うちわは、多機能付き紙うちわとしての利用の可能性がある。
【符号の説明】
【００１６】
1扇面部
2扇面下部貼り合せ部
3柄部
【図１】
0003162998.tif 000003
【図２】
0003162998.tif 000004
【図３】
0003162998.tif 000005
【図４】
0003162998.tif 000006
【図５】
0003162998.tif 000007
(57)【要約】      （修正有）【課題】ボタン留め前合わせシャツに、最も簡潔な方法で、眼鏡の出し入れが容易で、ネクタイの着用を阻害することなく、人体の正中面付近での眼鏡保持を可能とするための構造を有した前合わせシャツを提供する。【解決手段】ワイシャツやブラウスなど、ボタン留め前合わせシャツにおいて、前見ごろのボタン穴側前立て４ｂに、眼鏡保持穴１を、一つから複数設けて眼鏡保持穴付き前合わせシャツを構成する。【選択図】図２
0003162939.tif 000002
【実用新案登録請求の範囲】
【請求項１】
衣類であるボタン留め前合わせシャツにおいて、
ボタン穴側前立て４ｂに、眼鏡保持穴１を一つから複数設けた、
眼鏡保持穴付き前合わせシャツ。
【考案の詳細な説明】
【技術分野】
【０００１】
本考案は、ワイシャツやクラシックブラウスなど、ボタンで留める前合わせシャツに関するものであり、眼鏡を保持するための眼鏡保持穴付き前合わせシャツに関するものである。
【背景技術】
【０００２】
通常、ワイシャツやクラシックブラウスなどの、左右の前見ごろの前立てにボタンとボタン穴を有した、前合わせシャツにおいて、胸ポケット以外に眼鏡を保持するための構造は備えていない。眼鏡使用者の中には、運転、書類の閲覧、パソコン入力など、状況の変化により眼鏡を掛けたり外したりする人も多い。このため、眼鏡を頻繁に掛けたり外したりする人は、前合わせシャツの胸ポケットに入れるなど、衣類のどこかに、すぐに取り出せるような状態で所持していることが望ましい。
【先行技術文献】
【特許文献】
【０００３】
【特許文献１】公開特許公報（Ａ）特開２００６−１３８０５３
【特許文献２】公開特許公報（Ａ）特開２００６−１８３２２４
【考案の概要】
【考案が解決しようとする課題】
【０００４】
眼鏡を頻繁に掛けたり外したりする人は、特に職務中において、通常の状況では決して脱ぐことのない衣類のどこかに、すぐに取り出せるような状態で所持していることが望ましい。このため、前合わせシャツの胸ポケットに入れるなどの方法がとられることが多い。
【０００５】
しかし、この方法だと、前かがみになった時に眼鏡を取り落としたり、上着を着たとき、携帯電話や札入れや名刺入れなどの上着ポケットの内容物と重なり、胸ポケットの前がかさ張るなどの難点があった。
【０００６】
サングラスのテンプルをカジュアルなシャツの胸元の合わせ目に差し込んで保持する時のように、眼鏡のテンプルを胸元のシャツの合わせ目に差し込んで保持する方法もあるが、この状態においてネクタイを装着するのは難しく、職場における服装としてはふさわしくない場合も多い。
【０００７】
また、これらと関連して、公開特許公報（Ａ）特開２００６−１３８０５３や公開特許公報（Ａ）特開２００６−１８３２２４などのポケットの発明もなされているが、これらにも欠点があった。上記発明のポケットの穴が、ボタンの取り付けられている方の前立てに開口していることから、シャツの前を合わせたとき、開口部は奥側になり、眼鏡のように凹凸の激しい構造を持った物品では出し入れが容易でない。さらに、ポケットを構成する分だけ構造が複雑になる。
【０００８】
本考案の課題は、眼鏡の出し入れを容易とし、ネクタイの着用を阻害することなく、人体の正中面付近で眼鏡の保持を可能とする最も簡潔な構造を、ボタン留め前合わせシャツに与えることにある。
【課題を解決するための手段】
【０００９】
ワイシャツやクラシックブラウスなど、ボタン留め前合わせシャツ５において、前見ごろのボタン穴側前立て４ｂに、ボタン穴２とは別の穴である眼鏡保持穴１を、一つから複数設ける。本考案は以上の構造を持つ、眼鏡保持穴付き前合わせシャツである。
尚、本出願全文において、前立てとは広義の意味で用いている。つまり、前立てとはボタン３やボタン穴２を装着する場所に補強や装飾のために施す細長い布を指す言葉として用いているのではない。ボタン３やボタン穴２を装着する場所、すなわち左右前見ごろの縁という意味で用いている。
【考案の効果】
【００１０】
本考案に眼鏡６を格納するときは、ボタン３をボタン穴２に掛けた状態で、眼鏡保持穴１に眼鏡６のテンプル６ａを挿入しながら、ボタン側前立て４ａとボタン穴側前立て４ｂの間に眼鏡６を指し入れればよい。取り出すときは、眼鏡６の端を摘んで引き抜けばよい。眼鏡６の出し入れは片手で容易に行うことができる。
【００１１】
図３に示すようにネクタイの着用を阻害することもない。
【００１２】
眼鏡を人体の正中面付近に保持するので、上着を着用しても、携帯電話や札入れや名刺入れなどの上着の胸ポケットの内容物と重なって胸ポケットの周辺がかさ張ることが少ない。
【００１３】
最も簡潔な構造であり、本考案の生産に際し従来のシャツ生産工程を大きく変える必要がない。
【図面の簡単な説明】
【００１４】
【図１】本考案の胸部の正面図
【図２】眼鏡６を格納した、本考案の眼鏡保持穴１付近の斜視図。破線は透視を表す。
【図３】眼鏡６を格納した本考案とネクタイ７を装着した人体の胸部の正面図。破線は透視を表す。
【考案を実施するための形態】
【００１５】
ボタン留め前合わせシャツ５において、前見ごろのボタン穴側前立て４ｂに、第二ボタン穴２と第三ボタン穴２の間に、眼鏡保持穴１を一つ開ける。眼鏡保持穴１の縁はボタン穴かがりと同じ方法でかがり縫いを施す。
【００１６】
穴の形は何であってもよい。が、ワイシャツであれば斜め一文字に、カジュアルシャツであれば円形やひし形などに、女性用カジュアルブラウスであればハート型などに、それぞれのファッションに応じた形状とするのが望ましい。
【符号の説明】
【００１７】
１    眼鏡保持穴
２    ボタン穴
３    ボタン
４ａ  ボタン側前立て
４ｂ  ボタン穴側前立て
５    ボタン留め前合わせシャツ
６    眼鏡
６ａ  テンプル
７    ネクタイ
【図１】
0003162939.tif 000003
【図２】
0003162939.tif 000004
【図３】
0003162939.tif 000005
(57)【要約】【課題】  コンセントにプラグを長期間（冷蔵庫等）差し込んだ状態でも埃ゴミ等を遮断しトラッキング現象を防止するトラッキング現象防止コンセント箱装置を提供する。【解決手段】  コンセントの奥に電線接続箇所を備えたのとプラグの差し込み又、プラグの取り外しを簡単に成り、箱内の通気口を塞ぎすき間テ−プ等で有しのために埃ゴミ等は遮断をするためにトラッキング現象を発生しないのでこの課題を解決する。【選択図】図１
0003162924.tif 000002
【実用新案登録請求の範囲】
【請求項１】
箱内にコンセントを取り付け、前記コンセントの奥に電線接続箇所を備えたことを特徴とするトラッキング現象防止コンセント箱装置。
【請求項２】
前記箱が突き出し枠を備えていることを特徴とする請求項１記載のトラッキング現象防止コンセント箱装置。
【請求項３】
前記箱に化粧プレ−トを備えたことを特徴とする請求項１記載のトラッキング現象防止コンセント箱装置。
【考案の詳細な説明】
【技術分野】
【０００１】  本考案は電気設備に関するトラッキング現象防止コンセント箱装置に関わるものである。
【背景技術】
【０００２】  従来のトラッキング現象防止箱装置のコンセントのスライド自在に備えと電源接続端子蓋のためにプラグの差し込み又、プラグの取り外しが不便である。
【先行技術文献】
【特許文献】
【０００３】
【特許文献１】実用新案登録第３１６０１９４号
【考案の概要】
【考案が解決しようとする課題】
【０００４】  しかし、これではプラグの差し込み又、プラグの取り外しが不便を生じるので不利である。
【課題を解決するための手段】
【０００５】  箱内にコンセントを取り付け、前記コンセントの奥に電線接続箇所を備えた。【０００６】  前記箱から成る突き出し枠を備えた。【０００７】  前記箱に化粧プレ−トを備えた。
【考案の効果】
【０００８】  よって、本考案は箱縦形に備え箱内に電線接続箇所を備え又、コンセントにプラグを長期間（冷蔵庫等）差し込んだ状態でも埃ゴミ等を遮断しトラッキング現象が発生しないので火災を起きないのと家具等の配置空間も少なくなる、又、コンセント、プラグが露出の状態でないので無邪気な乳幼児も親も不安を解消し安心である。
【考案を実施するための形態】
【０００９】  本考案に関わるトラッキング現象防止コンセント箱装置は図１，２，３，４，５に示すように箱１から成る突き出し枠１ａを備えその内側にコンセント７に取り付け金具８を取り付けする、その取り付け金具８のツメ８ｂにコンセント７の溝に合わせて挿入しその取り付け金具８の溝８ｃの所をコンセント７の溝に合わせてドライバ−等で押し込む８ｄ、コンセント７に電線接続１８し、その取り付け金具８とコンセント化粧プレ−ト９を合わせて雌ネジ４，４ａに取り付ける、又、電線接続箇所１３はコンセント７の奥に備えた、電線接続方法は従来の接続１３ａを設けた、又、化粧プレ−ト１４を取り付ける際にコンセント７にプラグ１２を差し込んでコ−ド線１２ａをコ−ド線取り出し口１６に合わせて化粧プレ−ト１４を取り付ける。
【図面の簡単な説明】
【００１０】
【図１】  本考案に係わる箱から成る突き出し枠とコンセント、プラグ、電線接続箇所を備えた斜視図である。
【図２】  本考案に係わる化粧プレ−トの正面図と側面図である。
【図３】  本考案に係わるコンセント取り付け金具の正面図である。
【図４】  本考案に係わるコンセントに取り付け金具とコンセント化粧プレ−トと雌ネジに取り付けする斜視図である。
【図５】  本考案に係わる壁仕上り面に取り付けと壁に埋め込み状態のトラッキング現象防止コンセント箱装置の正面図と側面図である。
【符号の説明】
【００１１】    １  箱（１ケ用スイッチボックス適用）  １ａ  突き出し枠
２  化粧プレ−ト用雌ネジ              ２ａ  化粧プレ−ト用雌ネジ
３  コンセントプラグ取出口
４  取り付け金具、化粧プレ−ト止雌ネジ
４ａ  取り付け金具、化粧プレ−ト止雌ネジ
５  箱取り付けツメ                    ５ａ  箱取り付けツメ
５ｂ  箱取り付けツメ                      ６  箱取り付け孔
６ａ  箱取り付け孔                      ６ｂ  箱取り付け孔
７  コンセント                          ８  取り付け金具
８ａ  取り付け金具窓                    ８ｂ  取り付け金具ツメ
８ｃ  取り付け金具溝                    ８ｄ  押し込む
９  コンセント化粧プレ−ト            ９ａ  化粧プレ−ト窓
９ｂ  化粧プレ−ト孔                    ９ｃ  化粧プレ−ト孔
１０  取り付け金具孔                  １０ａ  取り付け金具孔
１０ｂ  取り付け金具、化粧プレ−ト止ビス
１０ｃ  取り付け金具、化粧プレ−ト止ビス
１１  電線取入り取出し口１９ｍｍ孔
１１ａ  電線取入り取出し口１９ｍｍ孔
１１ｂ  電線取入り取出し口２５ｍｍ孔
１１ｃ  電線取入り取出し口２５ｍｍ孔
１２  プラグ                          １２ａ  コ−ド線
１３  電線接続箇所                    １３ａ  電線接続
１４  化粧プレ−ト                      １５  すき間テ−プ
１６  コ−ド線取り出し口                １７  化粧プレ−ト取り付け孔
１８  電線コンセントへ接続
【図１】
0003162924.tif 000003
【図２】
0003162924.tif 000004
【図３】
0003162924.tif 000005
【図４】
0003162924.tif 000006
【図５】
0003162924.tif 000007
(57)【要約】      （修正有）【課題】植物を購入した際にその植物の取り扱い説明の名札の通りに植物栽培天候図柄容器に移植をすることによって長期間にわたり管理可能の植物栽培天候図柄容器を提供する。【解決手段】植物栽培天候図柄容器の表面の周りに天候図柄を備えた長期間にわたって、天候図柄が消えず植物栽培管理を簡単に、かつ、確実に行うことができる様にする。【選択図】図１
0003162923.tif 000002
【実用新案登録請求の範囲】
【請求項１】
植物栽培容器の周りの表面に天候図柄を備えたことを特徴とする植物栽培天候図柄容器。
【考案の詳細な説明】
【技術分野】
【０００１】  本考案は植物栽培容器に関する植物栽培天候図柄容器に関わるものである。
【背景技術】
【０００２】  従来の植物栽培容器の周りの表面に植物栽培天候図柄容器が備えてないので不便である。
【先行技術文献】
【特許文献】
【０００３】
【特許文献１】特許公開２００５−９５１２２号公報
【特許文献２】特許公平６−９８６３４号公報
【特許文献３】登録実用新案３１０４９８８号公報
【特許文献４】登録実用新案３０２００４２号公報
【考案の概要】
【考案が解決しようとする課題】
【０００４】  しかし、これでは植物栽培の管理が怠るので不便である。
【課題を解決するための手段】
【０００５】  植物栽培容器の表面の周りに天候図柄を備えた。
【考案の効果】
【０００６】  よって、本考案は植物を購入した際にその植物の取り扱い説明の名札の通りに植物栽培天候図柄容器に移植をすることによって長期間にわたり管理可能で不安を解消し安心である。
【考案を実施するための形態】
【０００７】  本考案に関わる植物栽培天候図柄容器は図１，２，３，４，５．６，７に示すように容器１の表面の周りに日当たり２図柄を備えた、又、容器１ａの表面の周りに日当たり２ａと半日陰３図柄を備えた、又、容器１ｂの表面の周りに日当たり２ｂと日陰４図柄を備えた、又、容器１ｃの表面の周りに日当たり２ｃと日陰４ａと雨の当たらない５図柄を備えた、又、容器１ｄの表面の周りに日当たり２ｄと風通しのよい６と棚上等７図柄を備えた、又、容器１ｅの日陰４ｂと棚下等７ａ図柄を備えた、又、容器１ｆの明るい日陰８図柄を備えた。
【図面の簡単な説明】
【０００８】
【図１】  本考案に係わる植物栽培天候図柄容器の日当たり図柄を備えた斜視図である。
【図２】  本考案に係わる植物栽培天候図柄容器の日当たりと半日陰図柄を備えた斜視図である。
【図３】  本考案に係わる植物栽培天候図柄容器の日当たりと日陰図柄を備えた斜視図である。
【図４】  本考案に係わる植物栽培天候図柄容器の日当たりと日陰と雨の当たらない図柄を備えた斜視図である。
【図５】  本考案に係わる植物栽培天候図柄容器の日当たりと風通しのよいと棚等図柄を備えた斜視図である。
【図６】  本考案に係わる植物栽培天候図柄容器の日陰や棚下等図柄を備えた斜視図である。
【図７】  本考案に係わる植物栽培天候図柄容器の明るい日陰図柄を備えた斜視図である。
【符号の説明】
【００１７】    １  容器                          １ａ  容器
１ｂ  容器                          １ｃ  容器
１ｄ  容器                          １ｅ  容器
１ｆ  容器                            ２  日当たり
２ａ  日当たり                      ２ｂ  日当たり
２ｃ  日当たり                        ３  半日陰
４  日陰                          ４ａ  日陰
４ｂ  日陰                            ５  雨の当たらない
６  風通しのよい                    ７  棚上
７ａ  棚下                            ８  明るい日陰
【図１】
0003162923.tif 000003
【図２】
0003162923.tif 000004
【図３】
0003162923.tif 000005
【図４】
0003162923.tif 000006
【図５】
0003162923.tif 000007
【図６】
0003162923.tif 000008
【図７】
0003162923.tif 000009
(57)【要約】      （修正有）【課題】携帯に便利な折畳式ポケットサイズ型のフレネルレンズを提供する。【解決手段】２枚のフレネルレンズ１に枠２を設けて連結し、その枠２にヒンジ部５を設けて、携帯にも便利な折畳式フレネルレンズを設ける。本折畳式フレネルレンズを用いて本や新聞を読むときに、フレネルレンズの大きさを例えばＡ６サイズ（開いた状態で）のものを用いた場合、レンズを上下左右にあまり動かさずに文字を読むことが出来るので、文字がちらつかないので非常に読みやすく目が疲れない。【選択図】図１
0003162906.tif 000002
【実用新案登録請求の範囲】
【請求項１】
シート状のフレネルレンズを複数に切断し、その切断したフレネルレンズを繋ぎ合わせるための枠を設ける、その繋ぎ合わせ部では、枠にヒンジ部を設けて折り曲げ自在とし、枠自体をヒンジ体にしたことを特徴とする折畳式フレネルレンズ。
【考案の詳細な説明】
【技術分野】
【０００１】  本考案は、携帯に便利な折畳式ポケットサイズ型のフレネルレンズに関する。
【背景技術】
【０００２】  従来、フレネルレンズの利用法としては、読書用拡大具、複写機用、集光型太陽発電用など比較的大きなもの、小型のものとしては名刺サイズ位のルーペなどである。【０００３】  実開昭６２−１４２０１８においては、読書用であるが、ポケットに入れて携帯することは出来ない。【０００４】  携帯用フレネルレンズとしては、普段は胸ポケットなどにも入る大きさで、読書などに使用する時はＡ５サイズ位の大きさのものが望ましい。
【先行技術文献】
【特許文献】
【０００５】
【特許文献１】実開昭６２−１４２０１８号（２頁、図２）
【考案の概要】
【考案が解決しようとする課題】
【０００６】  高齢者や視力の弱い人、特に高齢者の場合ほとんどの方が年と共に視力が衰え、本を読むのも新聞を読むのも困難になってくるものである。
従って、上記のルーペなどを用いることになる、然ながら、小型のものはルーペを移動しながら読むので字が散らつき目が疲れる。
また大きめのシート状ものは携帯に不便であるなどの問題があった。
【課題を解決するための手段】
【０００７】  上記課題を解決するため、シート状のフレネルレンズを切断し、それに折畳自在なヒンジ部を設けた枠を取り付けて、本や新聞を読むときには開いた状態で読み易くし、また普段は折畳んで携帯や収納に便利なものにする。
つまり、枠がフレネルレンズの保護と折り曲げ自在なヒンジ体を兼ねたものを設ける。
尚、屏風のように折畳数を幾重にもすることもできる。
【考案の効果】
【０００８】  本考案の折畳式フルネルレンズを用いて本や新聞を読むときに、フレネルレンズの大きさを例えばＡ６サイズ（開いた状態で）のものを用いた場合、レンズを上下左右にあまり動かさずに文字を読むことが出来るので、文字がちらつかないので非常に読みやすく目が疲れない。
また収納の際は、二つ折りにすると名刺判より少し大きい程度で、胸ポケットに入れて携帯することも出来る便利なものである。
【図面の簡単な説明】
【０００９】
【図１】  本考案で、２枚のフレネルレンズ１に枠２を設けた状態を示す平面図である。
【図２】  図１のフレネルレンズ１と枠２を折畳んだ状態を示す側面図である。
【考案を実施するための形態】
【実施例１】
【００１０】  本考案の実施の形態を図１〜図２に基づいて説明する。【００１１】  図１、初めにシート状のフレネルレンズ１を切断して２枚にした後に、その切断部３を突き合わせて枠２を設ける、この枠２の材質はゴム、ビニュールなどの柔軟材、及びポリプロピレンなどを用いて成型をする、また枠２自体に切込部４を入れてヒンジ部５を設ける。尚、切断は２枚とは限らず複数でもよい。【００１２】  図２、に於いて、切断したフレネルレンズ１と枠２は、ヒンジ部４を支点に二つ折りにして畳むことが出来る。尚、反対方向には折り曲げることが出来ない。
【産業上の利用可能性】
【００１３】  本考案の折畳式フレネルレンズは、高齢者や視力の弱い人々が胸ポケットなどに入れる携帯用として工業生産が可能である。
【符号の説明】
【００１４】  １    フレネルレンズ          ５    ヒンジ部
２    枠
３    切断部
４    切込部
【図１】
0003162906.tif 000003
【図２】
0003162906.tif 000004
(57)【要約】      （修正有）【課題】錠剤などの曲面のある固形物を安定化し、きれいに二等分に切断することが容易にでき、さらに分割前の固形物と分割後の固形物を効率よく仕分けることができる錠剤分割台を提供する。【解決の手段】硬い平板のベース上に、反発力のある柔らかいシート１を重ね合わせた錠剤分割台であり、反発力のある柔らかいシート１の両側または周囲にスロープ４を介したストックエリア３を設けてある。【選択図】図１
0003162910.tif 000002
【実用新案登録請求の範囲】
【請求項１】
錠剤を分割する台で、硬い平板のベース（２）上に反発力のある柔らかいシート（１）を重ね合わせた台の両側または周囲にスロープ（４）を介してストックエリア（３）を併せ持つことを特徴とする錠剤分割台。
【考案の詳細な説明】
【技術分野】
【０００１】  本考案は、錠剤などの曲面のある固形物を二等分に分割する台に関する。
【背景技術】
【０００２】    カッターや錠剤分割器（日本特願２０００−９５８３６）を用いて、錠剤などの曲面のある固形物を硬い台や従来のカッター用のマットに置いた状態で上から切断し二等分する場合、きれいに二等分に切断することが容易にできず、目的とする分割物を得にくい場合があった。【０００３】    その原因は、錠剤などの曲面のある固形物が接する台または従来のカッター用のマットの表面が硬いために固形物が不安定となる点にあった。
【先行技術文献】
【０００４】
【特許文献】
【特許文献１】欧州特許出願公開第０３１３９３４号明細書
【特許文献２】米国特許第４６９７３４４号明細書
【特許文献３】米国特許第４１７３８２６号明細書
【特許文献４】米国特許第３５１７８７１号明細書
【特許文献５】米国特許第６６０１７４６号明細書
【特許文献６】特開２０００−２７１１９２号公報
【０００５】
【実用新案登録文献】
【実用新案登録文献１】
実願平１−１１００５９号のマイクロフィルム
【実用新案登録文献２】
実願昭６３−５０２３１号のマイクロフィルム
【考案の概要】
【考案が解決しようとする課題】
【０００６】    従って、本考案は、錠剤などの曲面のある固定物を安定化し、きれいに二等分することが容易にできる錠剤分割台を提供することを目的としている。
また、本発明は、分割前の固形物と分割後の分割物を効率よく仕分けることができる錠剤分割台を提供することを目的としている。
【課題を解決するための手段と効果】
【０００７】  本考案は、硬い平板のベース（２）上に、錠剤などの曲面のある固形物が適度に沈み込むような厚さの反発力のある柔らかいシート（１）を重ね合わせた台とした。このことによって、本考案の台に錠剤などの曲面のある固形物を置き、カッターや錠剤分割器（日本特願２０００−９５８３６）を用いて分割するとき、固形物の中央に刃を押し付けると、刃の圧力によって錠剤などの曲面のある固定物の下側の曲面部分が反発力のある柔らかいシート（１）に適度に沈み込み、硬い平板のベース（２）に近づくとそれ以上沈まなくなり、錠剤などの曲面のある固形物が安定化し、さらに刃で固形物を押し付けると、固形物は刃により二等分に切断され、きれいに二等分に切断することが容易にできる錠剤分割台になる。
【０００８】  そして、反発力のある柔らかいシート（１）の厚さや柔らかさを固形物の大きさにより変更することによって、さまざまな大きさの固形物を安定して二等分に切断することができる。
【０００９】  また、本考案は、同一の台に分割前の固形物と分割後の分割物を仕分けて置くストックエリア（３）を、スロープ（４）を介して両サイドに設けてある。このことによって、分割前の固形物と分割後の分割物を順次スムーズに切断しながら効率よく仕分けることができる錠剤分割台になる。
【図面の簡単な説明】
【００１０】
【図１】この考案にかかる好ましい錠剤分割台の正面図である。
【図２】図１の長方向の断面図である。
【考案を実施するための形態】
【００１１】    本考案をより詳細に説述するために、添付の図面に従ってこれを説明する。
【００１２】    図１は、硬い平板のベース（２）上に均一な厚さの反発力のある柔らかいシート（１）を重ね合わせた台を中央に置き、その両端にスロープ（４）を介して、ストックエリア（３）を設けた、この考案にかかる好ましい錠剤分割台の正面図を示している。また、図２は、図１の構造を理解し易くするために長方向の断面図を示している。この錠剤分割台を形成する反発力のある柔らかいシート（１）の材料としては、片皮付クロロプレンスポンジその他の各種弾性合成樹脂材料、あるいはその他の弾性を有する板状材料が用いられ得る。また、硬い平板のベース（２）の材料としては、アクリロニトリル・ブタジエン・スチレン樹脂（ＡＢＳ樹脂）その他の硬質・耐薬剤性を有するの各種合成樹脂材料、あるいは木材、金属材料が用いられ得る。
【００１３】    本考案の反発力のある柔らかいシート（１）とストックエリア（３）の配置は、反発力のある柔らかいシート（１）を中央に配し、その両側または周囲にスロープ（４）を介してストックエリア（３）を配すが、図１のような正面の形状としては、長方形、正方形その他の多角形、あるいは楕円形、円形その他円形と多角形の組合せが用いられ得る。
【００１４】    また、反発力のある柔らかいシート（１）の大きさと厚さは、大きさでは、切断しようとする錠剤などの曲面のある固定物の長径より長く、厚さは切断しようとする錠剤などの曲面のある固定物の下側の曲面部分が、切断時におよそ３分の１から全部沈み込む厚さが好ましい。
【００１５】    そして、ストックエリア（３）の広さは、分割前の固形物が３個以上置ける広さが好ましい。
【実施例】
【００１６】    本考案の実施例を示すと、まず一方のストックエリア（３）に分割しようとする錠剤などの曲面のある固形物をいくつか置き、ストックエリア（３）より１個をスロープ（４）を介して反発力のある柔らかいシート（１）上に移し、固形物の中央に刃を押し付ける。すると固形物が反発力のある柔らかいシート（１）に沈み込み、硬い平板のベース（２）に近づくとそれ以上沈まなくなり、固形物が安定した状態になる。さらに刃で固形物を押し付けると、固形物は刃により二等分に切断され、その分割物は目的とする分割物となる。そして、分割物をスロープ（４）を介して他方のストックエリア（３）に収めておく。【００１７】    本実施例は、一連の作業が円滑に行える形態である。
【産業上の利用可能性】
【００１８】    調剤業務、家庭、介護施設において、カッターや錠剤分割器（日本特願２０００−９５８３６）を用いて錠剤を分割する時に利用価値の高まる台である。
【符号の説明】
【００１９】    １  反発力のある柔らかいシート
２  硬い平板のベース
３  ストックエリア
４  スロープ
【図１】
0003162910.tif 000003
【図２】
0003162910.tif 000004